(57)【要約】　　　（修正有）【課題】後払い充電式電子貨幣システムと後払い充電式電子貨幣を利用した取引方法及び後払い充電式電子貨幣の充電端末機の提供。【解決手段】所定の仮想金額を電子貨幣に無償で充電し、その充電情報を伝送する充電端末機と；取引行為によって発生した取引金額を前記所定の仮想金額が無償で充電された電子貨幣で支払い、前記取引行為による取引情報を貯蔵または伝送する取引端末機と；前記充電端末機から伝送された充電情報及び前記取引端末機から伝送された取引情報を収集してこれを検証し、前記取引行為に対して取引処理した結果によって該当取引金額を販売者に支払い、前記取引金額を使用者に請求する管理サーバーをと含み構成することによって、先払い方式の充電ではない、後払い方式で充電する電子貨幣を提供して使用者の電子貨幣充電の煩わしさ及び先払い充電の負担を減らすことができるようにしたものである。【選択図】　図２
2004005410.tif 000002
【特許請求の範囲】
【請求項１】
所定の仮想金額を電子貨幣に無償で充電し、その充電情報を伝送する充電端末機と、
取引行為によって発生した取引金額を前記所定の仮想金額が無償で充電された電子貨幣で支払い、前記取引行為による取引情報を貯蔵または伝送する取引端末機と、
前記充電端末機から伝送された充電情報及び前記取引端末機から伝送された取引情報を収集してこれを検証し、前記取引行為に対して取引処理した結果によって該当取引金額を販売者に支払い、前記取引金額を使用者に請求する管理サーバーとを
含むことを特徴とする後払い充電式電子貨幣システム。
【請求項２】
前記充電端末機が、
無償で充電される充電金額を含む充電要請情報の入力を受ける充電要請情報入力部と、
前記充電金額を充電させる電子貨幣から識別情報をスキャンする識別情報読取部と、
前記充電要請情報と識別情報とを含む充電承認要請情報を管理サーバーに伝送し、前記管理サーバーから充電承認情報を受信する充電承認要請部と、
前記充電承認情報により該当電子貨幣に前記充電金額を充電し、前記電子貨幣の充電情報を前記管理サーバーに伝送する充電処理部とを含み、
前記管理サーバーが、
前記充電端末機から充電承認要請情報を受信する充電承認要請情報受信部と、
前記充電承認要請情報に含まれた識別情報をカード社のサーバーに伝送し、該当電子貨幣を発給した会員が無償充電が可能な会員であるか信用照会を要請し、受信された信用照会結果によって充電許容または充電禁止するように充電承認情報を生成する充電承認処理部と、
前記充電承認情報を該当充電端末機に伝送する充電承認情報伝送部と、
前記充電端末機から電子貨幣に対する充電情報を受信し、この充電情報によって該当電子貨幣に対する充電情報データベースを更新する充電処理部とを、
含むことを特徴とする特許請求の範囲第１項に記載の後払い充電式電子貨幣システム。
【請求項３】
前記後払い充電式電子貨幣システムが、
取引金額を含む取引要請情報の入力を受ける取引要請情報入力部と、
購買者の所持した電子貨幣から識別情報を受信する識別情報読取部と、
電子貨幣に貯蔵された取引用キー値を認証して取引処理に対する権限を検証する取引承認処理部と、
前記取引承認情報によって該当電子貨幣に充電された金額から前記取引要請情報に含まれた取引金額を差し引き、取引情報を取引情報データベースに貯蔵する取引処理部と、
前記管理サーバーに前記取引情報を伝送する取引情報伝送部とを含む取引端末機を更に含み、
前記管理サーバーが、
前記取引端末機から取引情報を受信し、この取引情報によって該当電子貨幣を発給した会員の取引情報データベースを更新する取引処理部と、
販売者の口座に前記取引情報に含まれた取引金額を振替するように振替要請情報をカード社のサーバーに伝送し、前記取引情報データベースに貯蔵された各会員の取引内訳たちを一定額または一定期間単位に集計し、その合計金額を会員の口座から振替するようにカード社のサーバーに振替要請情報を伝送する振替要請情報伝送部とを、
更に含むことを特徴とする特許請求の範囲第２項に記載の後払い充電式電子貨幣システム。
【請求項４】
前記充電端末機が、
無償で充電される充電金額を含む充電要請情報の入力を受ける充電要請情報入力部と、
前記充電金額を充電させる電子貨幣から識別情報をスキャンする識別情報読取部と、
前記充電要請情報と識別情報とを含む充電承認要請情報を管理サーバーに伝送し、前記管理サーバーから充電承認情報を受信する充電承認要請部と、
前記充電承認情報によって該当電子貨幣に前記充電金額を充電し、前記電子貨幣の充電情報を前記管理サーバーに伝送する充電処理部とを含み、
前記管理サーバーが、
前記充電端末機から充電承認要請情報を受信する充電承認要請情報受信部と、
無償充電の可能な電子貨幣の識別情報たちが貯蔵され、カード社のサーバーから周期的にデータを受信して更新されるホワイトリストデータベースと、
前記充電承認要請情報に含まれた識別情報から前記ホワイトリストデータベースを検索し、その結果によって充電許容または充電禁止するように充電承認情報を生成する充電承認処理部と、
前記充電承認情報を該当充電端末機に伝送する充電承認情報伝送部と、
前記充電端末機から電子貨幣に対する充電情報を受信し、この充電情報によって該当電子貨幣に対する充電情報データベースを更新する充電処理部をと
含むことを特徴とする特許請求の範囲第１項に記載の後払い充電式電子貨幣システム。
【請求項５】
前記後払い充電式電子貨幣システムが、
取引金額を含む取引要請情報の入力を受ける取引要請情報入力部と、
購買者の所持した電子貨幣から識別情報を受信する識別情報読取部と、
電子貨幣に貯蔵された取引用キー値を認証して取引処理に対する権限を検証する取引承認処理部と、
前記取引承認情報によって該当電子貨幣に充電された金額から前記取引要請情報に含まれた取引金額を差引き、取引情報を取引情報データベースに貯蔵する取引処理部と、
前記管理サーバーに前記取引情報を伝送する取引情報伝送部とを含む取引端末機を更に含み、
前記管理サーバーが、
前記取引端末機から取引情報を受信し、この取引情報によって該当電子貨幣を発給した会員の取引情報データベースを更新する取引処理部と、
販売者の口座に前記取引情報に含まれた取引金額を振替するように振替要請情報をカード社のサーバーに伝送し、前記取引情報データベースに貯蔵された各会員の取引内訳たちを一定額または一定期間単位に集計し、その合計金額を会員の口座から振替するようにカード社のサーバーに振替要請情報を伝送する振替要請情報伝送部とを、
更に含むことを特徴とする特許請求の範囲第４項に記載の後払い充電式電子貨幣システム。
【請求項６】
前記管理サーバーの充電承認処理部が盗難または紛失申告された電子貨幣に対し充電禁止するように充電承認情報を生成することを特徴とする特許請求の範囲第２項乃至第５項のいずれかに記載の後払い充電式電子貨幣システム。
【請求項７】
前記充電端末機が、
無償で充電される充電金額を含む充電要請情報の入力を受ける充電要請情報入力部と、
前記充電金額を充電させる電子貨幣から識別情報をスキャンする識別情報読取部と、
無償充電の可能な電子貨幣の識別情報たちが貯蔵され、管理サーバーから周期的にデータを受信し更新されるホワイトリストデータベースと、
前記識別情報からホワイトリストデータベースを検索し、該当電子貨幣を発給した会員が無償充電の可能な会員であるか信用照会し、前記ホワイトリストに含まれている電子貨幣である場合充電を許容し、含まれていない場合充電を禁止する充電承認情報を生成する充電承認処理部と、
前記充電承認情報によって該当電子貨幣に前記充電金額を充電し、前記電子貨幣の充電情報を充電情報データベースに貯蔵する充電処理部と、
前記貯蔵された充電情報を管理サーバーに伝送する充電情報伝送部とを含み、
前記管理サーバーが、
前記充電端末機から電子貨幣に対する充電情報を受信し、この充電情報によって該当電子貨幣に対する充電情報データベースを更新する充電処理部と、
無償充電の可能な電子貨幣の識別情報たちが貯蔵され、カード社のサーバーから周期的にデータを受信して更新されるホワイトリストデータベースと、
前記充電端末機に更新されたホワイトリスト情報を伝送するホワイトリスト情報伝送部とを
含むことを特徴とする特許請求の範囲第１項に記載の後払い充電式電子貨幣システム。
【請求項８】
前記後払い充電式電子貨幣システムが、
取引金額を含む取引要請情報の入力を受ける取引要請情報入力部と、
購買者の所持した電子貨幣から識別情報を受信する識別情報読取部と、
電子貨幣に貯蔵された取引用キー値を認証して取引処理に対する権限を検証する取引承認処理部と、
前記取引承認情報によって該当電子貨幣に充電された金額から前記取引金額を差引き、取引情報を貯蔵する取引処理部と、
前記管理サーバーに前記取引情報を伝送する取引情報伝送部とを含む取引端末機を更に含み、
前記管理サーバーが、
前記取引端末機から取引情報を受信し、この取引情報によって該当電子貨幣を発給した会員の取引情報データベースを更新する取引処理部と、
販売者の口座に前記取引情報に含まれた取引金額を振替するように振替要請情報をカード社のサーバーに伝送し、前記取引情報データベースに貯蔵された各会員の取引内訳たちを一定額または一定期間単位に集計し、その合計金額を会員の口座から振替するようにカード社のサーバーに振替要請情報を伝送する振替要請情報伝送部とを
更に含むことを特徴とする特許請求の範囲第７項に記載の後払い充電式電子貨幣システム。
【請求項９】
前記充電端末機の充電承認処理部が盗難または紛失申告された電子貨幣に対して充電禁止するように充電承認情報を生成することを特徴とする特許請求の範囲第７項または第８項に記載の後払い充電式電子貨幣システム。
【請求項１０】
カード発行社との契約によって一定の仮想金額を使用者の電子貨幣に無償で充電する段階と、
前記使用者の電子貨幣を利用して取引行為に対応して各々の取引端末機で決済が成される段階と、
前記各々の取引端末機で遂行された決済による取引内訳情報を管理サーバーがネットワークを介して収集して貯蔵する段階と、
カード社のサーバーが前記管理サーバーから前記取引内訳情報の伝送を受け検証した後、前記取引内訳情報に基づき販売者に該当取引金額を振替し使用者に該当取引金額を請求する段階とを
含むことを特徴とする後払い充電式電子貨幣を利用した取引方法。
【請求項１１】
前記電子貨幣に充電金額を充電する段階が、
充電端末機が電子貨幣を所持した使用者から充電要請情報の入力を受け、電子貨幣から識別情報をスキャンし、前記充電要請情報と識別情報とを含む充電承認要請情報を管理サーバーに伝送して信用照会し、前記管理サーバーから信用照会結果を受信し、この充電承認情報によって該当電子貨幣に前記充電金額を充電することを特徴とする特許請求の範囲第１０項に記載の後払い充電式電子貨幣を利用した取引方法。
【請求項１２】
無償で充電される充電金額を含む充電要請情報の入力を受ける充電要請情報入力部と、
前記充電金額を充電させる電子貨幣から識別情報をスキャンする識別情報読取部と、
無償充電の可能な電子貨幣の識別情報たちが貯蔵され、管理サーバーから周期的にデータを受信し更新されるホワイトリストデータベースと、
前記識別情報からホワイトリストデータベースを検索し、該当電子貨幣を発給した会員が無償充電の可能な会員であるか信用照会し、前記ホワイトリストに含まれている電子貨幣である場合充電を許容し、含まれていない場合充電を禁止する充電承認情報を生成する充電承認処理部と、
前記充電承認情報によって該当電子貨幣に前記充電金額を充電し、前記電子貨幣の充電情報を充電情報データベースに貯蔵する充電処理部と、
前記貯蔵された充電情報を管理サーバーに伝送する充電情報伝送部とを
含むことを特徴とする後払い充電式電子貨幣の充電端末機。
【発明の詳細な説明】
【０００１】
【発明の属する技術分野】
本発明は、後払い充電式電子貨幣システムと後払い充電式電子貨幣を利用した取引方法及び後払い充電式電子貨幣の充電端末機に関するもので、特に電子貨幣を無償で充電し、使用金額に対して後決済する方式の後払い充電式電子貨幣システムに関するものである。
【０００２】
【従来の技術】
従来の商取引で通用される貨幣は、紙幣、小銭及び小切手などに限定されていたが、このような貨幣の保有による不便さと盗難の恐れにより、新しい貨幣概念の導入が要求されている実情である。
【０００３】
特に、電子商取引の概念が導入されながら、実物取引では経験することのできなかった新しい概念の決済方式が必要になり、このような決済方式として、クレジットカードと電子チップ（Ｃｈｉｐ）を内蔵した電子貨幣が注目されている。つまり、情報化時代の定着と共に各種カードはその種類が多様になり、磁気帯カードのような記録媒体から、今は電子チップを内蔵して知能化された電子貨幣（ＩＣカード）まで提供されている。
【０００４】
先払い方式の電子貨幣の場合、使用者が一定金額を精算して電子貨幣を充電すると、電子貨幣内に内蔵された貯蔵媒体に使用者の精算した金額が記録され充電される。この後、使用者が品物購買などの商取引行為をして電子貨幣を提示すると、販売者がカード読取器を介して取引金額を入力する。カード読取器は、前記電子貨幣の貯蔵媒体に既に充電されている充電金額から商取引行為によって発生した取引金額を減算し、新しい金額を記録することによって、使用料金が精算されるようにする。
【０００５】
しかし、このような先払い方式の電子貨幣の場合、いろいろな問題点を内包していた。
【０００６】
まず、使用者は電子貨幣の現在の残額に対して常に頭におかねばならないという不便があった。例えば、電子貨幣の残額がない場合、品物購買やサービスの代価として支払わなければならない現金を所持していない状態だと、使用者はたいへん困った状況に置かれることになる。
【０００７】
また、電子貨幣をよく使用する使用者の立場としては、電子貨幣の充電のために充電システムの設置されたところに頻繁に出入りしなければならないという問題点があった。更に、前記充電システムはいろいろな運営上の問題から、設置される場所の数に限界があるため、基本的に接近することのできる設置場所を使用者が常に認知していなければならず、地方の場合には使用者が充電システムに接近することが更に難しかった。
【０００８】
また、頻繁な充電によって充電上のエラー問題が発生し、これに対する処理が使用者を煩わしくする恐れがあった。
【０００９】
【発明が解決しようとする課題】
本発明は、前記のような問題点を解決するために発明されたもので、先払い方式の充電ではない後払い方式で充電される電子貨幣を提供し、使用者の電子貨幣充電の煩わしさ及び先払い充電の負担を減らすことのできる、後払い充電式電子貨幣システムと後払い充電式電子貨幣を利用した取引方法及び後払い充電式電子貨幣の充電端末機を提供する事をその目的とする。
【００１０】
本発明のまた別の目的は、充電システムへの使用者の接近を最少化して使用者の便宜性を増大することのできる、後払い充電式電子貨幣システムと後払い充電式電子貨幣を利用した取引方法及び後払い充電式電子貨幣の充電端末機を提供することである。
【００１１】
前記の目的を達成するための本発明の一態様によると、本発明による後払い充電式電子貨幣システムは、所定の仮想金額を電子貨幣に無償で充電し、その充電情報を伝送する充電端末機と；取引行為によって発生した取引金額を前記所定の仮想金額が無償で充電された電子貨幣で支払い、前記取引行為による取引情報を貯蔵または伝送する取引端末機と；前記充電端末機から伝送された充電情報及び前記取引端末機から伝送された取引情報を収集してこれを検証し、前記取引行為に対して取引処理した結果によって該当取引金額を販売者に支払い、前記取引金額を使用者に請求する管理サーバーとを含むことを特徴とする。
【００１２】
【発明の実施の形態】
以下、添付の図面を参照に記述される好ましい実施例を介して、本発明を、当業者が容易に理解して再現することができるように詳細に記述することにする。
【００１３】
図１は、本発明による後払い充電式電子貨幣システムのシステム概要図である。
【００１４】
図示されているように、本発明による後払い充電式電子貨幣システムは、管理サーバー１００と、充電端末機２００と、取引端末機３００と、カード社のサーバー４００とを含んでいる。前記管理サーバー１００は、後払い充電式電子貨幣を充電し、この電子貨幣を介して行われる商取引行為に対する決済処理を担当する。前記電子貨幣に後払い式に充電をするための契約は、管理サーバー運営社とカード社間の契約によって成立する。
【００１５】
前記充電端末機２００は、前記後払い充電式電子貨幣に充電金額を充電する装置で、前記管理サーバー１００とオン／オフライン上で連結される電子貨幣に後払い充電のための専用の端末装置、または前記管理サーバー１００に有／無線ネットワークを介して連結される個人用コンピュータ、ノートパソコン、ＰＤＡ、携帯電話などを含む有無線通信端末装置を通称するものである。
【００１６】
前記取引端末機３００は、使用者が取引行為時に提示する後払い充電式電子貨幣から識別情報を受信し、販売者から入力された取引金額を充電金額から差し引いて更新するように処理する装置で、前記管理サーバー１００とオン／オフライン上で連結される電子貨幣を利用して取引可能にする取引専用の端末装置である。
【００１７】
前記カード社のサーバー４００は、前記電子貨幣の発給、前記充電端末機２００を介した電子貨幣の充電時の信用照会、前記取引端末機３００を介して成される電子貨幣を介した商取引行為時の信用照会を担当する。
【００１８】
本発明による後払い充電式電子貨幣システムは、前記充電端末機２００を介して所定の仮想金額を電子貨幣に無償で充電し、その充電情報を前記管理サーバー１００に伝送して貯蔵し、前記取引端末機３００を介して取引行為によって発生した取引金額を前記電子貨幣で支払い、前記取引行為による取引情報を貯蔵したり、または前記管理サーバー１００に伝送し、前記管理サーバー１００を介して前記取引端末機１００から伝送された取引情報を収集してこれを検証し、前記取引行為に対して取引処理した結果によって該当取引金額を販売者に支払い、前記取引金額を使用者に請求するようにする動作をする。
【００１９】
この時、カード社のサーバー４００を介して前記電子貨幣の充電または取引時の信用照会を実行して信用を検証することになる。
【００２０】
図２乃至図５を介して本発明による後払い充電式電子貨幣システムの具体的な構成及び動作を見てみよう。
【００２１】
（第１実施例）
図２は、本発明による後払い充電式電子貨幣システムの第１実施例によるブロック図で、前記管理サーバー１００にオンライン上で充電端末機２００が、オフライン上で取引端末機３００が連結された場合を示したものである。
【００２２】
図示されているように、この実施例による後払い充電式電子貨幣システムの管理サーバー１００は、充電承認要請情報受信部１１１と、充電承認処理部１１２と、充電承認情報伝送部１１３と、充電処理部１１４と、振替要請情報伝送部１１５と、取引処理部１１６と、ブラックリスト情報伝送部１１７とを含む。
【００２３】
前記充電承認要請情報受信部１１１と、充電承認処理部１１２と、充電承認情報伝送部１１３と、充電処理部１１４と、振替要請情報伝送部１１５は、後払い充電式電子貨幣に充電金額を充電する充電処理モジュールで、前記振替要請情報伝送部１１５と、取引処理部１１６と、ブラックリスト情報伝送部１１７は、電子貨幣を利用した商取引時の取引モジュールである。
【００２４】
前記充電処理モジュールと取引処理モジュールとは、論理的または物理的に分離可能なサーバー上で実行されるソフトウェアの形態で存在する。
【００２５】
前記充電承認要請情報受信部１１１は、前記充電端末機２００から充電承認要請情報を受信する。つまり、後払い充電式電子貨幣の充電時、通信インターフェースを介して伝送される充電端末機２００から入力された無償で充電される充電金額を含む充電要請情報及び該当電子貨幣から読み出された識別情報を含む充電承認要請情報を充電承認要請情報受信部１１１が受信する。この時、前記識別情報は電子貨幣に付与された他電子貨幣と区別される固有の番号を含むのが好ましい。
【００２６】
前記充電承認処理部１１２は、前記充電承認要請情報に含まれた識別情報をカード社のサーバー４００に伝送し、該当電子貨幣を発給した会員が無償充電の可能な会員であるか信用照会を要請し、受信された信用照会結果によって充電許容または充電禁止するように充電承認情報を生成する。つまり、前記充電承認処理部１１２は、前記充電承認要請情報に含まれた識別情報をカード社のサーバー４００に伝送し、該当電子貨幣を発給した会員が無償充電の可能な会員であるか信用照会を要請する。これを受信したカード社のサーバー４００は、前記識別情報、例えば電子貨幣の固有番号などを利用して電子貨幣を発給した会員データベース（図示省略）から該当識別情報に対応する会員を検索し、該当会員が発給した電子貨幣に対して無償充電が可能であるかの可否に対する信用照会をし、その結果を前記充電承認処理部１１２に伝送する。前記充電承認処理部１１２は、前記信用照会結果を受信し、その結果によって充電許容または充電禁止するように充電承認情報を生成する。カード使用者から信用充電金額の入力を受けた場合は、信用照会時に入力された充電金額がカード使用限度額を超過するかの可否も検査するように具現するのが好ましい。
【００２７】
一方、この充電承認処理部１１２は、盗難または紛失申告された電子貨幣に対して充電禁止するように充電承認情報を生成するのが好ましい。
【００２８】
前記充電承認処理部１１２の動作の基準となる会員データベースを上記で説明したようにカード社のサーバー４００に置き、管理サーバー１００が承認時ごとにカード社のサーバー４００に照会するように具現することもできるが、運営の便宜や伝送線路上障害時、効果的な対応のためには管理サーバー１００自体に置くのが好ましい。前記会員データベースを管理サーバーに置く場合は、この会員データベースが信用無償充電の可能な電子貨幣に対する識別情報を別途に集めたホワイトリストデータベースであることが好ましく、このホワイトリストデータベースもやはり信用不良や紛失／盗難カードに対する情報に対しても反映されるように具現するのが好ましい。ホワイトリストデータベースは、カード社のサーバー４００から伝送されたブラックリストや新規会員情報などの情報を周期的にアップデートする。盗難または紛失された電子貨幣に対する申告が受け付けられると、前記カード社のサーバー４００はこの盗難または紛失情報を会員データベースに記録し、これを管理サーバー１００に伝送してホワイトリストデータベースを更新する。
【００２９】
前記ホワイトリストデータベースを管理サーバー１００自体に置く場合は、前記充電承認処理部１１２が電子貨幣に貯蔵された充電用キー値を認証して無償充電に対する権限を獲得し、前記充電承認要請情報に含まれた識別情報から前記ホワイトリストデータベースを検索し、その結果によって充電許容または充電禁止するように充電承認情報を生成する。前記充電承認処理部１１２が盗難または紛失申告された電子貨幣に対して充電禁止するように充電承認情報を生成することは、以下の実施例で全て適用可能である。
【００３０】
前記会員データベースがカード社のサーバーにある場合の信用照会に対する技術は、この出願以前に当業界で既に多様に公知され施行されていた通常の技術なので、これに対する詳細な説明は省略する。
【００３１】
前記充電承認情報伝送部１１３は、前記充電承認情報を該当充電端末機２００に伝送する。つまり、この充電承認情報伝送部１１３は、前記充電承認処理部１１２により生成された電子貨幣を充電許容または充電禁止するようにする充電承認情報を、該当充電端末機２００に伝送する。
【００３２】
前記充電処理部１１４は、前記充電端末機２００から電子貨幣に対する充電情報を受信し、この充電情報によって該当電子貨幣に対する充電情報データベースを更新する。つまり、前記充電承認情報伝送部１１３により伝送された充電承認情報が充電許容に対するものである場合、これを受信した充電端末機２００は電子貨幣に対して充電し、この充電情報を伝送する。前記充電処理部１１４は、この充電情報を受信して該当電子貨幣に対する充電情報データベースを更新する。前記充電情報データベースには管理サーバー１００と連結された各充電端末機２００から受信された電子貨幣たちの充電履歴が貯蔵される。
【００３３】
前記振替要請情報伝送部１１５は、電子貨幣を充電した会員の口座から取引金額を振替するようにカード社のサーバー４００に振替要請情報を伝送し、また販売者の口座に取引金額を振替するように要請する振替要請情報を前記カード社のサーバー４００に伝送する。
【００３４】
後払い充電式電子貨幣は、仮想金額を予め充電してもらい、その充電金額の中、使用者が実際に使用した金額に対して事後後払いで決済するものである。つまり、前記振替要請情報伝送部１１５は、所定期間周期内に、例えば一ヶ月を周期に、充電された電子貨幣を発給した会員の口座から取引金額を管理サーバーの口座に振替するようにカード社のサーバー４００に振替要請情報を伝送する。前記カード社のサーバー４００は、この振替要請情報を受信し、この振替要請情報によって、充電された電子貨幣を発給した会員の口座から充電金額を管理サーバーの口座に振替処理する。また、前記振替要請情報伝送部１１５は、電子貨幣に充電された充電金額を利用した取引発生時、該当取引行為によって発生した取引金額を前記管理サーバーの口座から販売者の口座に振替するように要請する振替要請情報を金融社のサーバー（図示省略、カード社のサーバーと同一でも有り得る）に伝送する。この取引行為により発生する取引金額の振替処理に対することは、以後詳細に説明する。前記金融社のサーバー（または、カード社のサーバー）は、この振替要請情報を受信し、この振替要請情報によって取引金額を前記管理サーバーの口座から販売者の口座に振替処理する。実際の具現において、管理サーバー運営者の口座から販売者の口座への振替が先に起こり、おって各使用者の口座から管理サーバー運営者の口座への振替が起こる。前記カード社のサーバー４００及び金融社のサーバーによる口座振替処理技術は、この出願以前に当業界で既に多様に公知され施行されていた通常の技術なので、これに対する詳細な説明は省略する。
【００３５】
たとえ仮想金額の充電であっても、現金価値のあるデータを記録するためには厳格な保安モジュール（ＳＡＭ）が必要である。つまり、前記の場合、保安モジュールが前記管理サーバー上に存在し（具現によってはカード社のサーバーに存在するようにすることもできる）、前記保安モジュールに記録されたキー値と使用者のカードに記録された後払い充電キー値は同一な値を有し、同一な暗号化アルゴリズムを有する。保安モジュールで乱数を生成し、その乱数を暗号化して伝送し、電子貨幣は伝送された値を再び複合化して保安モジュールに伝送し、保安モジュールは伝送された複合化値と元来の乱数が同一であるかを判断し、この過程を電子貨幣と保安モジュールが役割を取り替え遂行する方式で相互キー値の同一可否を認証する。
【００３６】
前記取引処理部１１６は、前記取引端末機３００から取引情報を受信し、この取引情報によって該当電子貨幣を発給した会員の取引情報データベースを更新する。つまり、この実施例の場合、前記取引端末機３００がオフライン上で管理サーバー１００と連結されるので、後払い充電式電子貨幣を利用した取引行為による取引情報達を貯蔵した取引端末機３００から前記取引処理部１１６が直／並列通信インターフェースを介して取引情報を受信し、この取引情報によって該当電子貨幣を発給した会員の取引情報データベースを更新する。前記オフライン上で取引情報を伝送して貯蔵する方法は、前記直／並列通信インターフェースを利用する方法の他にも、前記取引情報を貯蔵した取引端末機３００に内蔵されたメモリー手段を前記取引端末機３００から分離し、これを管理サーバー１００の取引情報データベースを貯蔵する管理サーバーのメモリー手段に複写または移動する方法など多様なオフライン上の方法を利用することができることは当然のことである。前記直／並列通信インターフェースを利用したオフライン上のデータ直接複写または移動方法や、両メモリー手段を連動させデータを直接複写または移動する方法などのオフライン上の情報複写または移動方法は、出願以前に多様に公知され施行されていた通常の技術なので、これに対する詳細な説明は省略する。
【００３７】
本発明は、カード社のブラックリストを充電側で利用することに特徴があるが、具現によっては紛失／盗難カードの被害防止及び既存後払いカードシステムとの互換のために、直払い取引処理の側面でもブラックリスト情報を利用することができる。
【００３８】
前記ブラックリスト情報伝送部１１７は、前記取引端末機３００に更新されたブラックリスト情報を伝送する。この実施例では、前記取引端末機３００は管理サーバー１００とオフライン上で連結されるので、後払い充電式電子貨幣を利用した取引処理時、信用照会のためのブラックリスト情報を前記取引端末機３００が自体データベースに有していなければならない。従って、前記ブラックリスト情報伝送部１１７が前記取引端末機３００で更新されたブラックリスト情報をオフライン上で伝送しなければならない。この更新されたブラックリスト情報の伝送は、所定の周期別に成されるのが好ましく、前記取引端末機３００と管理サーバー１００とがオフライン上で連結されるので、できる限りオフライン上の情報複写または移動方法が使用される。例えば、直／並列通信インターフェースを利用したオフライン上のデータ直接複写または移動方法や、両メモリー手段を連動させデータを直接複写または移動する方法などが利用でき、前記オフライン上の情報複写または移動方法は、出願以前に多様に公知され施行されていた通常の技術なので、これに対する詳細な説明は省略する。
【００３９】
この実施例による後払い充電式電子貨幣システムの充電端末機２００は、充電要請情報入力部２１１と、識別情報読取部２１２と、充電承認要請部２１３と、充電処理部２１４とを含む。
【００４０】
前記充電要請情報入力部２１は、無償で充電される充電金額を含む充電要請情報の入力を受ける。つまり、後払い充電式電子貨幣の充電時、電子貨幣を所持した使用者が充電端末機２００のキーボードなどのキー入力装置を介して無償で充電される充電金額（充電金額は、予め設定して管理サーバーの会員データベースに記録されるように具現することもできる）を含む充電要請情報を入力すると、前記充電要請情報入力部２１１が前記充電要請情報の入力を受ける。
【００４１】
前記識別情報読取部２１２は、前記充電金額を充電させる電子貨幣から識別情報をスキャンする。つまり、後払い充電式電子貨幣の充電時、電子貨幣を所持した使用者が充電端末機２００のカードリーダーに接触式または非接触式に電子貨幣を接触または挿入すると、前記識別情報読取部２１２が該当電子貨幣の識別情報をスキャンする。この電子貨幣の識別情報は、一般クレジットカード番号体系を使用したり、別途の後払いカード式一連番号体系を使用することができ、他電子貨幣と区別される固有の番号を含むのが好ましい。
【００４２】
前記充電承認要請部２１３は、前記充電要請情報と識別情報とを含む充電承認要請情報を管理サーバー１００に伝送し、前記管理サーバー１００から充電承認情報を受信する。つまり、この充電承認要請部２１３は、前記充電要請情報入力部２１１を介して入力された充電要請情報と、前記識別情報読取部２１２によりスキャンされた識別情報とを含む充電承認要請情報を通信インターフェースを介して管理サーバー１００に伝送し、充電承認要請する。前記充電承認要請情報を受信した管理サーバー１００は、前記充電承認要請情報に含まれた識別情報を自らのホワイトリストデータベースで検索したり、またはカード社のサーバー４００に伝送して該当電子貨幣を発給した会員が無償充電の可能な会員であるか信用照会し、その結果によって充電許容または充電禁止するように充電承認情報を生成して充電端末機２００に伝送する。前記充電承認要請部２１３は、前記管理サーバー１００から伝送される充電承認情報を受信する。
【００４３】
前記充電処理部２１４は、前記充電承認情報によって、該当電子貨幣に前記充電金額を充電し、前記電子貨幣の充電情報を前記管理サーバー１００に伝送する。つまり、この充電処理部２１４は、前記充電承認要請部２１３により受信された充電承認情報が充電許容に対するものである場合、この充電承認情報によって該当電子貨幣に収納されたＩＣチップに前記充電金額などを記録して充電し、該当電子貨幣に対する充電情報を前記管理サーバー１００に伝送する。前記管理サーバー１００は、この充電情報を受信して充電情報データベースを更新する。
【００４４】
この実施例による後払い充電式電子貨幣システムの取引端末機３００は、取引要請情報入力部３１１と、識別情報読取部３１２と、取引承認処理部３１３と、取引処理部３１４と、取引情報伝送部３１５とを含む。
【００４５】
前記取引要請情報入力部３１１は、取引金額を含む取引要請情報の入力を受ける。つまり、後払い充電式電子貨幣を利用して取引行為時、販売者が取引端末機３００のキーボードなどのキー入力装置を介して該当取引行為に対する取引金額を入力すると、前記取引要請情報入力部３１１が前記取引要請情報の入力を受ける（バス端末機などの場合は、取引金額が予め設定されていて、取引金額入力が省略されることもある）。
【００４６】
前記識別情報読取部３１２は、購買者の所持した電子貨幣から識別情報を受信する。つまり、後払い充電式電子貨幣を利用して取引行為時、電子貨幣を所持した購買者の提示した電子貨幣を、販売者が取引端末機３００のカードリーダーに接触式または非接触式に電子貨幣を接触または挿入すると、前記識別情報読取部３１２が該当電子貨幣の識別情報をスキャンする。この電子貨幣の識別情報は、他電子貨幣と区別される固有の番号を含むのが好ましい。
【００４７】
前記取引承認処理部３１３は、取引承認用保安モジュール（ＳＡＭ）を有しており、前記電子貨幣の取引用キー値と前記保安モジュール内貯蔵されたキー値の同一可否を確認して取引を承認し、ブラックリストデータベースを有した具現の場合は、前記識別情報からブラックリストデータベースを検索して該当電子貨幣に対して信用照会し、前記ブラックリストに含まれていない電子貨幣である場合取引を許容し、含まれている場合取引を禁止する取引承認情報を生成する。この実施例で、前記取引端末機３００は、管理サーバー１００とオフライン上で連結されるので、前記取引端末機３００は後払い充電式電子貨幣を利用した取引処理時、信用照会のためのブラックリスト情報をデータベースに有していなければならない。従って、前記取引承認処理部３１３は、前記識別情報読取部３１２を介してスキャンされた識別情報からブラックリストデータベースを検索して、該当電子貨幣が取引可能であるかの可否に対して信用照会し、前記ブラックリストに含まれていない電子貨幣である場合取引を許容し、含まれている場合取引を禁止する取引承認情報を生成する。前記ブラックリストを利用した信用照会技術は、この出願以前に既に多様に公知され施行されていた通常の技術なので、これに対する詳細な説明は省略する。
【００４８】
前記取引処理部３１４は、前記取引承認情報によって該当電子貨幣に充電された金額から前記取引要請情報に含まれる取引金額を差引き、取引情報を取引情報データベースに貯蔵する。つまり、この取引処理部３１４は、前記取引承認処理部３１３により生成された取引承認情報が取引許容に対するものである場合、該当電子貨幣に充電された金額から前記取引要請情報に含まれた取引金額を差引き、取引情報を取引情報データベースに貯蔵する。
【００４９】
前記取引情報伝送部３１５は、前記管理サーバー１００に前記取引情報を伝送する。この実施例では前記取引端末機３００が管理サーバー１００とオフライン上で連結されるので、取引端末機３００を介して処理された取引情報を前記取引情報伝送部３１５を介して管理サーバー１００に伝送時、直／並列通信インターフェースを利用したオフライン上のデータ直接複写または移動方法や、両メモリー手段を連動させデータを直接複写または移動する方法などのオフライン上の情報複写または移動方法を使用する。前記直／並列通信インターフェースを利用したオフライン上のデータ直接複写または移動方法や、両メモリー手段を連動させデータを直接複写または移動する方法などのオフライン上の情報複写または移動方法は、出願以前に多様に公知され施行されていた通常の技術なので、これに対する詳細な説明は省略する。
【００５０】
この実施例では、前記管理サーバー１００の振替要請情報伝送部１１５が、販売者の口座に前記取引情報に含まれた取引金額を振替するように振替要請情報をカード社のサーバー４００に伝送し、前記取引情報データベースに貯蔵された各会員の取引内訳たちを一定額または一定期間単位に集計し、その合計金額を会員の口座から振替するようにカード社のサーバー４００に振替要請情報を伝送することになる。
【００５１】
図６は、図２に図示された第１実施例による後払い充電式電子貨幣システムでの充電処理のフローチャートである。
【００５２】
図示されているように、この実施例による後払い充電式電子貨幣システムの充電処理動作は次の通りである。
【００５３】
段階Ｓ１０１で、前記充電端末機２００の充電要請情報入力部２１１を介して電子貨幣を所持した使用者から充電要請情報の入力を受ける。
【００５４】
次いで、段階Ｓ１０２で、前記充電端末機２００の識別情報読取部２１２を介して電子貨幣から識別情報をスキャンする。
【００５５】
段階Ｓ１０３で、前記充電端末機２００の充電承認要請部２１３が前記充電要請情報と識別情報とを含む充電承認要請情報を管理サーバー１００に伝送する。
【００５６】
段階Ｓ１０４で、前記管理サーバー１００の充電承認要請情報受信部１１１を介して前記充電端末機２００から充電承認要請情報を受信し、前記充電承認処理部１１２は、自分の有したキー値と電子貨幣に貯蔵された充電用キー値が同一であるか検査し、前記充電承認要請情報に含まれた識別情報をカード社のサーバー４００に伝送したり、管理サーバー１００内のホワイトリストデータベースを検索して信用照会し、その信用照会結果によって充電承認情報を生成し、前記充電承認情報伝送部１１３を介して前記充電承認情報を該当充電端末機２００に伝送する。
【００５７】
段階Ｓ１０５で、前記充電端末機２００の充電承認要請部２１３が前記管理サーバー１００から充電承認情報を受信する。
【００５８】
段階Ｓ１０６で、前記充電端末機２００の充電処理部２１４が、前記充電承認情報によって該当電子貨幣に前記充電金額を充電し、前記電子貨幣の充電情報を前記管理サーバー１００に伝送する。
【００５９】
段階Ｓ１０７で、前記管理サーバー１００の充電処理部１１４が、充電端末機２００から電子貨幣に対する充電情報を受信し、この充電情報によって該当電子貨幣に対する充電情報データベースを更新する。
【００６０】
実質的に、本発明での振替処理過程は、電子貨幣を利用した実取引時にのみ発生するのが好ましい。
【００６１】
しかし、付加的に充電過程で振替処理が発生するように具現することもできる。この場合は下記のような段階が更に含まれる。
【００６２】
段階Ｓ１０８で、前記管理サーバー１００の振替要請情報伝送部１１５が、電子貨幣を充電した会員の口座から充電金額を振替するようにカード社のサーバー４００に振替要請情報を伝送する。
【００６３】
段階Ｓ１０９で、前記カード社のサーバー４００が、電子貨幣を充電した会員の口座から充電金額を管理サーバーの口座に振替処理する。
【００６４】
図７は、図２に図示した第１実施例による後払い充電式電子貨幣システムでの取引処理のフローチャートである。
【００６５】
図示されているように、この実施例による後払い充電式電子貨幣システムの取引処理動作は次の通りである。
【００６６】
段階Ｓ２０１で、前記取引端末機３００の取引要請情報入力部３１１を介して取引金額を含む取引要請情報の入力を受ける。
【００６７】
段階Ｓ２０２で、前記取引端末機３００の識別情報読取部３１２を介して購買者の所持した電子貨幣から識別情報をスキャンする。
【００６８】
段階Ｓ２０３で、前記取引端末機３００の取引承認処理部３１３が、自分の有したキー値とカード内貯蔵された取引用キー値が同一であるか検査した後、前記識別情報からブラックリストデータベースを検索し、該当電子貨幣に対して信用照会して取引承認情報を生成する。具現によって、前記ブラックリストの照会は省略可能である。
【００６９】
段階Ｓ２０４で、前記取引端末機３００の取引処理部３１４が、前記取引承認情報によって該当電子貨幣に充電された金額から前記取引要請情報に含まれた取引金額を差引き、取引情報を取引情報データベースに貯蔵する。
【００７０】
段階Ｓ２０５で、前記取引端末機３００の取引情報伝送部３１５を介して前記管理サーバー１００に前記取引情報を伝送する。
【００７１】
段階Ｓ２０６で、前記管理サーバー１００の取引処理部１１６が前記取引情報を受信し、この取引情報によって該当電子貨幣を発給した会員の取引情報データベースを更新する。
【００７２】
段階Ｓ２０７で、前記管理サーバー１００の振替要請情報伝送部１１５が、管理サーバーの口座から販売者の口座に取引金額を振替するように要請する振替要請情報を金融社のサーバー（または、カード社のサーバー）に伝送する。
【００７３】
段階Ｓ２０８で、前記金融社のサーバー（または、カード社のサーバー）が管理サーバーの口座から販売者の口座に取引金額を振替処理する。
【００７４】
段階Ｓ２０９で、管理サーバーが金融社のサーバー（または、カード社のサーバー）に一定期間集めた各電子貨幣使用者の取引内訳を伝送し、この金額を管理サーバーの口座に振替することを要請する。
【００７５】
段階Ｓ２１０で、金融社のサーバー（または、カード社のサーバー）が、各電子貨幣使用者の口座から管理サーバーの口座に前記取引内訳による金額を振替処理する。
【００７６】
（第２実施例）
図３は、本発明による後払い充電式電子貨幣システムの第２実施例によるブロック図で、管理サーバー１００にオンライン上で充電端末機２００及び取引端末機３００が連結された場合を示したものである。
【００７７】
図示されているように、この実施例による後払い充電式電子貨幣システムの管理サーバー１００は、図２に示した第１実施例でのように、充電承認要請情報受信部１１１と、充電承認処理部１１２と、充電承認情報伝送部１１３と、充電処理部１１４と、振替要請情報伝送部１１５と、取引処理部１１６とを含んでおり、図２に示された第１実施例でのブラックリスト情報伝送部１１７の代わりに、前記管理サーバー１００と取引端末機３００とをオンライン上で連結するために、取引承認要請情報受信部１１８と、取引承認処理部１１９と、取引承認情報伝送部１２０とを含んで構成したものである。
【００７８】
前記充電承認要請情報受信部１１１と、充電承認処理部１１２と、充電承認情報伝送部１１３と、充電処理部１１４と、振替要請情報伝送部１１５は、後払い充電式電子貨幣に充電金額を充電する充電処理モジュールであり、前記振替要請情報伝送部１１５と、取引処理部１１６と、取引承認要請情報受信部１１８と、取引承認処理部１１９と、取引承認情報伝送部１２０は、電子貨幣を利用した商取引時の取引処理モジュールである。
【００７９】
前記充電処理モジュールと取引処理モジュールとは、論理的または物理的に分離可能なサーバー上で実行されるソフトウェアの形態で存在する。
【００８０】
前記充電承認要請情報受信部１１１と、充電承認処理部１１２と、充電承認情報伝送部１１３と、充電処理部１１４と、振替要請情報伝送部１１５と、取引処理部１１６は、図２に示した第１実施例と同一な動作をするので、具体的な説明は省略する。
【００８１】
前記取引承認要請情報受信部１１８は、前記取引端末機３００から取引承認要請情報を受信する。この実施例では、前記取引端末機３００は管理サーバー１００とオンライン上で連結されるので、後払い充電式電子貨幣を利用した取引処理時、カード社のサーバー４００に信用照会しなければならない。従って、前記取引端末機３００から入力され伝送される取引承認要請情報を、前記取引承認要請情報受信部１１８を介して受信する。
【００８２】
前記取引承認処理部１１９は、前記取引承認要請情報に含まれた識別情報をカード社のサーバー４００に伝送し、該当電子貨幣を発給した会員の信用照会を要請し、受信された信用照会結果によって取引許容または取引禁止するように取引承認情報を生成する。つまり、前記取引承認処理部１１９は、前記取引承認要請情報に含まれた識別情報をカード社のサーバー４００に伝送し、該当電子貨幣を発給した会員が取引可能な会員であるか信用照会要請する。これを受信したカード社のサーバー４００は、前記識別情報、例えば電子貨幣の固有番号などを利用して電子貨幣を発給した会員データベース（図示省略）から該当識別情報に対応する会員を検索し、該当会員が発給した電子貨幣が取引可能であるかの可否に対する信用照会をし、その結果を前記取引承認処理部１１９に伝送する。前記取引承認処理部１１９は、信用照会結果を受信し、その結果によって取引許容または取引禁止するように取引承認情報を生成する。
【００８３】
前記信用照会に対する技術は、この出願以前に当業界で既に多様に公知され施行されていた通常の技術なので、これに対する詳細な説明は省略する。
【００８４】
前記取引承認情報伝送部１２０は、前記取引承認情報を該当取引端末機３００に伝送する。つまり、この取引承認情報伝送部１２０は、前記取引承認処理部１１９により生成された取引承認情報を、通信インターフェースを介して該当取引端末機３００に伝送する。
【００８５】
この実施例による後払い充電式電子貨幣システムの充電端末機２００は、前記図２に示した第１実施例と同一な構成及び動作を有するので、これに対する詳細な説明は省略する。
【００８６】
この実施例による後払い充電式電子貨幣システムの取引端末機３００は、図２に示した第１実施例のように、取引要請情報入力部３１１と、識別情報読取部３１２と、取引処理部３１４とを含んでおり、第１実施例とは異なり、取引情報やブラックリスト情報を貯蔵する自体的なデータベースを含まず、第１実施例の取引承認処理部３１３と、取引情報伝送部３１５の代わりに、取引承認要請部３１３ａを含む。
【００８７】
前記取引要請情報入力部３１１は、取引金額を含む取引要請情報の入力を受ける。つまり、後払い充電式電子貨幣を利用して取引行為時、販売者が取引端末機３００のキーボードなどのキー入力装置を介して該当取引行為に対する取引金額を入力すると、前記取引要請情報入力部３１１が前記取引要請情報の入力を受ける。
【００８８】
前記識別情報読取部３１２は、購買者の所持した電子貨幣から識別情報を受信する。つまり、後払い充電式電子貨幣を利用して取引行為時、電子貨幣を所持した購買者の提示した電子貨幣を、販売者が取引端末機３００のカードリーダーに接触式または非接触式に電子貨幣を接触または挿入すると、前記識別情報読取部３１２が該当電子貨幣の識別情報スキャンする。この電子貨幣の識別情報は、他電子貨幣と区別される固有の番号を含むのが好ましい。
【００８９】
前記取引承認要請部３１３ａは、前記取引要請情報と識別情報とを含む取引承認要請情報を通信インターフェースを介して管理サーバー１００に伝送し、前記管理サーバー１００から取引承認情報を受信する。この実施例で、前記取引端末機３００は、管理サーバーとオフライン上で連結されるので、後払い充電式電子貨幣を利用した取引処理時、前記取引端末機３００は、前記取引承認要請部３１３ａを介して管理サーバー１００に取引承認要請情報を伝送し、カード社のサーバー４００にて信用照会されるようにする。前記取引承認要請情報を受信した管理サーバー１００は、前記取引承認要請情報に含まれた識別情報をカード社のサーバー４００に伝送し、該当電子貨幣を発給した会員が取引可能な会員であるか信用照会要請する。これを受信したカード社のサーバー４００は、前記識別情報、例えば電子貨幣の固有番号などを利用して電子貨幣を発給した会員データベース（図示省略）から該当識別情報に対応する会員を検索し、該当会員が発給した電子貨幣が取引可能であるかの可否に対する信用照会をし、その結果を前記管理サーバー１００に伝送する。前記管理サーバー１００は、信用照会結果を受信し、その結果によって取引許容または取引禁止するように取引承認情報を生成し、これを取引端末機３００に伝送する。前記取引承認要請部３１３ａは前記管理サーバー１００から伝送される取引承認情報を受信する。
【００９０】
前記取引処理部３１４は、前記取引承認情報によって該当電子貨幣に充電された金額から前記取引要請情報に含まれた取引金額を差引き、取引情報を前記管理サーバー１００に伝送する。つまり、この取引処理部３１４は、前記取引承認処理部３１３により生成された取引承認情報が取引許容に対するものである場合、該当電子貨幣に充電された金額から前記取引要請情報に含まれた取引金額を差引き、取引情報を前記管理サーバー１００に伝送して管理サーバー１００の取引情報データベースに貯蔵されるようにする。
【００９１】
この実施例による充電式電子貨幣システムでの充電処理は、図６に示された充電処理動作と同一なので、これに対する説明は省略することにする。
【００９２】
図８は、図３に示した第２実施例による後払い充電式電子貨幣システムでの取引処理のフローチャートである。
【００９３】
図示されているように、この実施例による後払い充電式電子貨幣システムの取引処理動作は次の通りである。
【００９４】
段階Ｓ３０１で、前記取引端末機３００の取引要請情報入力部３１１を介して取引金額を含む取引要請情報の入力を受ける。
【００９５】
段階Ｓ３０２で、前記取引端末機３００の識別情報読取部３１２を介して購買者の所持した電子貨幣から識別情報をスキャンする。
【００９６】
段階Ｓ３０３で、前記取引端末機３００の取引承認要請部３１３ａが、前記取引要請情報と識別情報とを含む取引承認要請情報を管理サーバー１００に伝送する。
【００９７】
段階Ｓ３０４で、前記管理サーバー１００の取引承認要請情報受信部１１８が、前記取引端末機３００から取引承認要請情報を受信する。
【００９８】
段階Ｓ３０５で、前記管理サーバー１００の取引承認処理部１１９が、前記取引承認要請情報に含まれた識別情報をカード社のサーバー４００に伝送し、該当電子貨幣を発給した会員の信用照会を要請し、受信された信用照会結果によって取引承認情報を生成する。
【００９９】
段階Ｓ３０６で、前記管理サーバー１００の取引承認情報伝送部１２０が前記取引承認情報を該当取引端末機３００に伝送する。
【０１００】
段階Ｓ３０７で、前記取引端末機３００の取引承認要請部３１３ａが前記管理サーバー１００から取引承認情報を受信する。
【０１０１】
段階Ｓ３０８で、前記取引端末機３００の取引処理部３１４が、前記取引承認情報によって該当電子貨幣に充電された金額から前記取引要請情報に含まれた取引金額を差引き、取引情報を管理サーバー１００に伝送する。
【０１０２】
段階Ｓ３０９で、前記管理サーバー１００の取引処理部１１６が前記取引情報を受信し、この取引情報によって該当電子貨幣を発給した会員の取引情報データベースを更新する。
【０１０３】
段階Ｓ３１０で、前記管理サーバー１００の振替要請情報伝送部１１５が、管理サーバーの口座から販売者の口座に取引金額を振替するように要請する振替要請情報を、前記カード社のサーバー４００に伝送する。
【０１０４】
段階Ｓ３１１で、前記カード社のサーバー４００が、管理サーバーの口座から販売者の口座に取引金額を振替処理する。
【０１０５】
（第３実施例）
図４は、本発明による後払い充電式電子貨幣システムの第３実施例によるブロック図で、管理サーバー１００にオフライン上で充電端末機２００及び取引端末機３００が連結された場合を示したものである。
【０１０６】
図示されているように、この実施例による後払い充電式電子貨幣システムの管理サーバー１００は、図２に示された第１実施例でのように、充電処理部１１４と、振替要請情報伝送部１１５と、取引処理部１１６と、ブラックリスト情報伝送部１１７とを含んでおり、図２に示した第１実施例とは異なり、第１実施例での充電承認要請情報受信部１１１と、充電承認処理部１１２と、充電承認情報伝送部１１３の代わりに、管理サーバー１００と充電端末機２００をオフライン上で連結するためのホワイトリスト情報伝送部１２１を含んで構成したものである。
【０１０７】
前記充電処理部１１４と、振替要請情報伝送部１１５と、ホワイトリスト情報伝送部１２１は、後払い充電式電子貨幣に充電金額を充電する充電処理モジュールで、前記振替要請情報伝送部１１５と、取引処理部１１６と、ブラックリスト情報伝送部１１７は、電子貨幣を利用した商取引時の取引モジュールである。
【０１０８】
前記充電処理モジュールと取引処理モジュールとは、論理的または物理的に分離可能なサーバー上で施行されるソフトウェアの形態で存在する。
【０１０９】
前記充電処理部１１４は、前記充電端末機２００から電子貨幣に対する充電情報を受信し、この充電情報によって該当電子貨幣に対する充電情報データベースを更新する。この実施例の場合、管理サーバー１００と充電端末機２００とがオフライン上で連結されるので、前記充電処理部１１４が直／並列通信インターフェースを介して充電端末機２００から充電情報を受信し、この充電情報によって該当電子貨幣に対する充電情報データベースを更新する。前記オフライン上で充電情報を伝送して貯蔵する方法は、前記直／並列通信インターフェースを利用する方法以外にも、前記充電情報を貯蔵した前記充電端末機２００に内蔵されたメモリー手段を前記充電端末機２００から分離し、これを管理サーバー１００の充電情報データベースを貯蔵する管理サーバー１００のメモリー手段で複写または移動する方法など、多様なオフライン上の方法を利用することができることは当然のことである。前記直／並列通信インターフェースを利用したオフライン上のデータ直接複写または移動方法や、両メモリー手段を連動させデータを直接複写または移動する方法などのオフライン上の情報複写または移動方法は、出願以前に多様に公知され施行されていた通常の技術なので、これに対する詳細な説明は省略する。前記充電情報データベースには各充電端末機２００により充電された電子貨幣たちの充電履歴が貯蔵される。
【０１１０】
前記ホワイトリスト情報伝送部１２１は、前記充電端末機２００で更新されたホワイトリスト情報を伝送する。この実施例では、前記充電端末機２００が管理サーバー１００とオフライン上で連結されるので、後払い充電式電子貨幣を充電端末機２００を介して充電時、信用照会のためのホワイトリスト情報を前記充電端末機２００内にデータベースとして有しなければならない。従って、前記ホワイトリスト情報伝送部１２１が、前記充電端末機２００で更新されたホワイトリスト情報をオフライン上で伝送しなければならない。この更新されたホワイトリスト情報の伝送は、所定周期別に成されるのが好ましく、前記充電端末機２００と管理サーバー１００がオフライン上で連結されるので、できる限りオフライン上の情報複写または移動方法が使用される。例えば、直／並列通信インターフェースを利用したオフライン上のデータ直接複写または移動方法や、両メモリー手段を連動させデータを直接複写または移動する方法などを利用することができ、前記オフライン上の情報複写または移動方法は、この出願以前に多様に公知され施行されていた通常の技術なので、これに対する詳細な説明は省略する。
【０１１１】
前記振替要請情報伝送部１１５と、前記取引処理部１１６と、前記ブラックリスト情報伝送部１１７は、図２に示した第１実施例と同一なので、これに対する詳細な説明は省略する。
【０１１２】
この実施例による後払い充電式電子貨幣システムの充電端末機２００は、充電要請情報入力部２１１と、識別情報読取部２１２と、充電承認処理部２１３ａと、充電処理部２１４とを含む。
【０１１３】
この実施例の充電端末機２００は、前記管理サーバー１００とオフライン上で連結されるので、充電のための信用照会を自体的に処理しなければならない。従って、この実施例による充電端末機は、図２または図３に示した実施例とは異なり、信用照会のためのホワイトリスト情報データベースと、充電情報を貯蔵するための充電情報データベースとを自体的に有し、前記充電承認処理部２１３ａを介して充電のための信用照会を処理する。
【０１１４】
前記充電要請情報入力部２１１は、無償で充電される充電金額を含む充電要請情報の入力を受ける。つまり、後払い充電式電子貨幣の充電時、電子貨幣を所持した使用者が充電端末機２００のキーボードなどのキー入力装置を介して無償で充電される充電金額を含む充電要請情報を入力すると、前記充電要請情報入力部２１１が前記充電要請情報の入力を受ける。
【０１１５】
前記識別情報読取部２１２は、前記充電金額を充電させる電子貨幣から識別情報スキャンする。つまり、後払い充電式電子貨幣の充電時、電子貨幣を所持した使用者が充電端末機２００のカードリーダーに接触式または非接触式に電子貨幣を接触または挿入すると、前記識別情報読取部２１２が該当電子貨幣の識別情報をスキャンする。この電子貨幣の識別情報は、他電子貨幣と区別される固有の番号を含むのが好ましい。
【０１１６】
前記充電承認処理部２１３ａは、前記識別情報からホワイトリストデータベースを検索し、該当電子貨幣を発給した会員が無償充電の可能な会員であるか信用照会し、前記ホワイトリストに含まれた電子貨幣である場合充電を許容し、含まれていない場合充電を禁止する充電承認情報を生成する。前記信用照会に関連する技術は、この出願以前に当業界で既に多様に公知され施行されていた通常の技術なので、これに対する詳細な説明は省略する。
【０１１７】
前記充電処理部２１４は、前記充電承認情報によって該当電子貨幣に前記充電金額を充電し、前記電子貨幣の充電情報を充電情報データベースに貯蔵する。つまり、この充電処理部２１４は、前記充電承認処理部２１３ａにより生成された充電承認情報が充電許容に対するものである場合、この充電承認情報によって該当電子貨幣に収納されたＩＣチップに前記充電金額などを記録して充電し、該当電子貨幣に対する充電情報を充電情報データベースに貯蔵して更新する。
【０１１８】
この実施例による後払い充電式電子貨幣システムの取引端末機３００の構成及び動作は、図２に示された第１実施例と同一なので、これに対する詳細な説明は省略する。
【０１１９】
図９は、図４に示した第３実施例による後払い充電式電子貨幣システムでの充電処理のフローチャートである。
【０１２０】
段階Ｓ４０１で、前記充電端末機２００の充電要請情報入力部２１１を介して電子貨幣を所持した使用者から充電要請情報の入力を受ける。
【０１２１】
次いで、段階Ｓ４０２で前記充電端末機２００の識別情報読取部２１２を介して電子貨幣から識別情報をスキャンする。
【０１２２】
段階Ｓ４０３で、前記充電端末機２００の充電承認処理部２１３ａが、前記識別情報からホワイトリストデータベースを検索し、該当電子貨幣を発給して会員が無償充電の可能な会員であるか信用照会し、前記ホワイトリストに含まれた電子貨幣である場合充電を許容し、含まれていない場合充電を禁止する充電承認情報を生成する。
【０１２３】
段階Ｓ４０４で、前記充電端末機２００の前記充電処理部２１４は、前記充電承認情報によって該当電子貨幣に前記充電金額を充電し、前記電子貨幣の充電情報を充電情報データベースに貯蔵する。
【０１２４】
段階Ｓ４０５で、前記管理サーバー１００の充電処理部１１４が、充電端末機２００から電子貨幣に対する充電情報を受信し、この充電情報によって該当電子貨幣に対する充電情報データベースを更新する。
【０１２５】
段階Ｓ４０６で、前記管理サーバー１００の振替要請情報伝送部１１５が、電子貨幣を充電した会員の口座から充電金額を振替するようにカード社のサーバー４００に振替要請情報を伝送する。
【０１２６】
段階Ｓ４０７で、前記カード社のサーバー４００が、電子貨幣を充電した会員の口座から充電金額を管理サーバーの口座に振替処理する。
【０１２７】
この実施例による充電式電子貨幣システムでの取引処理動作は、図７に示した取引処理動作と同一なので、これに対する詳細な説明は省略する。
【０１２８】
（第４実施例）
図５は、本発明による後払い充電式電子貨幣システムの第４実施例によるブロック図で、管理サーバー１００にオフライン上で充電端末機２００が、オンライン上で取引端末機３００が連結された場合を示したものである。
【０１２９】
図示したように、この実施例による後払い充電式電子貨幣システムの管理サーバー１００は、図４に示した第３実施例でのブラックリスト情報伝送部１１７の代わりに、前記管理サーバー１００と取引端末機３００とをオンライン上で連結するために、取引承認要請情報受信部１１８と、取引承認処理部１１９と、取引承認情報伝送部１２０とを含んで構成したものである。
【０１３０】
図５に示した実施例で、充電処理部１１４と、振替要請情報伝送部１１５と、取引処理部１１６と、ホワイトリスト情報伝送部１２１は、図４で示した第３実施例と同一な動作をするので、これに対する詳細な説明は省略する。
【０１３１】
前記充電処理部１１４と、振替要請情報伝送部１１５と、ホワイトリスト情報伝送部１２１は、後払い充電式電子貨幣に充電金額を充電する充電処理モジュールであり、前記振替要請情報伝送部１１５と、取引処理部１１６と、取引承認要請情報受信部１１８と、取引承認処理部１１９と、取引承認情報伝送部１２０は、電子貨幣を利用した商取引時の取引処理モジュールである。
【０１３２】
前記充電処理モジュールと取引処理モジュールとは、論理的または物理的に分離可能なサーバー上で実行されるソフトウェアの形態で存在する。
【０１３３】
前記取引承認要請情報受信部１１８は、前記取引端末機３００から取引承認要請情報を受信する。この実施例では、前記取引端末機３００は、管理サーバー１００とオンライン上で連結されるので、後払い充電式電子貨幣を利用した取引処理時、カード社のサーバー４００に信用照会しなければならない。従って、前記取引端末機３００から入力され伝送される取引承認要請情報を、前記取引承認要請情報受信部１１８を介して受信する。
【０１３４】
前記取引承認処理部１１９は、前記取引承認要請情報に含まれた識別情報をカード社のサーバー４００に伝送し、該当電子貨幣を発給した会員の信用照会を要請し、受信された信用照会結果によって取引許容または取引禁止するように取引承認情報を生成する。つまり、前記取引承認処理部１１９は、前記取引承認要請情報に含まれた識別情報をカード社のサーバー４００に伝送し、該当電子貨幣を発給した会員が取引可能な会員であるか信用照会要請する。これを受信したカード社のサーバー４００は、前記識別情報、例えば電子貨幣の固有番号などを利用して電子貨幣を発給した会員データベース（図示省略）から該当識別情報に対応する会員を検索し、該当会員が発給した電子貨幣が取引可能であるかの可否に対する信用照会をし、その結果を前記取引承認処理部１１９に伝送する。前記取引承認処理部１１９は、信用照会結果を受信し、その結果によって取引許容または取引禁止するように取引承認情報を生成する。
【０１３５】
前記信用照会に対する技術は、この出願以前に当業界で既に多様に公知され施行されていた通常の技術なので、これに対する詳細な説明は省略する。
【０１３６】
前記取引承認情報伝送部１２０は、前記取引承認情報を該当取引端末機３００に伝送する。つまり、この取引承認情報伝送部１２０は、前記取引承認処理部１１９により生成された取引承認情報を通信インターフェースを介して該当取引端末機３００に伝送する。
【０１３７】
この実施例による充電式電子貨幣システムでの充電処理動作は、図４に示された第３実施例での充電処理動作と同一なので、これに対する詳細な説明は省略する。
【０１３８】
この実施例による充電式電子貨幣システムでの取引処理動作は、図３に示された第２実施例での取引処理動作と同一なので、これに対する詳細な説明は省略する。
【０１３９】
本発明による後払い充電式電子貨幣を利用した取引方法は、カード発行社との契約により一定の仮想金額を使用者の電子貨幣に無償で充電する段階と；前記使用者の電子貨幣を利用して取引行為に対応して各々の取引端末機で決済が成される段階と；前記各々の取引端末機で遂行された決済による取引内訳情報を管理サーバーがネットワークを介して収集して貯蔵する段階と；カード社のサーバーが前記管理サーバーから前記取引内訳情報の伝送を受け検証した後、前記取引内訳情報に基づいて販売者に該当取引金額を振替、使用者に該当取引金額を請求する段階とを含む。
【０１４０】
つまり、本発明による後払い充電式電子貨幣を利用した取引方法は、カード発行社との契約により一定の仮想金額を使用者の電子貨幣に無償で充電し、使用者が取引行為をして前記電子貨幣を利用し決済すると、取引端末機が決済過程を処理し、取引内訳情報を管理サーバーにネットワークを介して伝送すると、管理サーバーは、各取引端末機から伝送された取引内訳情報を収集して貯蔵し、この取引内訳情報をカード社のサーバーに伝送する。カード社のサーバーは、前記管理サーバーから前記取引内訳情報の伝送を受け検証した後、前記取引内訳情報に基づき販売者に該当取引金額を振替、使用者に該当取引金額を請求する動作をする。
【０１４１】
一方、前記電子貨幣に充電金額を充電する段階は、充電端末機が電子貨幣を所持した使用者から充電要請情報の入力を受け、電子貨幣から識別情報をスキャンし、前記充電要請情報と識別情報とを含む充電承認要請情報を管理サーバーに伝送して信用照会し、前記管理サーバーから信用照会結果を受信し、この充電承認情報によって該当電子貨幣に前記充電金額を充電する。
【０１４２】
本発明による前記実施例では、使用者の要請によって無償充電過程が成されたが、紛失に対する危険負担を更に減らすために、前記電子貨幣に個人用パスワードを入力して貯蔵し、仮想金額無償充電時に前記充電端末機を介してパスワードを入力するようにし、入力されたパスワードを前記電子貨幣に伝送して電子貨幣内でこのパスワードを認証した後、充電を遂行するように具現することもできる。
【０１４３】
従って、上記のようにすることによって、前記で提示した本発明による後払い充電式電子貨幣システムと後払い電子貨幣を利用した取引方法及び後払い充電式電子貨幣の充電端末機の目的を達成することができるようになる。
【０１４４】
【発明の効果】
以上で説明したように、本発明による後払い充電式電子貨幣システムと後払い充電式電子貨幣を利用した取引方法及び後払い充電式電子貨幣の充電端末機は、先払い方式の充電ではない、後払い方式で充電される電子貨幣を提供し、使用者の電子貨幣充電の煩わしさ及び先払い充電の負担を減らすことができ、充電システムへの使用者の接近を最少化して、使用者の便宜性を増大させることができる有用な効果を有する。
【０１４５】
本発明の効果を既存の後払い式交通カードと比較して説明すると、既存後払い交通カードは、本発明でのような仮想金額の先充電過程がないので、カード使用者の意志とは関係なく無限大の金額を使用することができるようになり、盗難／紛失カード所持者の不法使用による被害が拡大され得るという問題点がある。これを防止するために、ブラックリストを取引端末機で取引時ごとにチェックするようにしているが、数多くの取引端末機にブラックリストチェックのためのメモリー及び制御プログラムを具備しなければならないので、費用が高価になる問題があり、数多くの取引端末機での大きなデータ量を有したブラックリストの更新がまともに成されることが難しいという問題点があった。
【０１４６】
しかし、本発明による後払い充電式電子貨幣システムを具現すると、本発明で、既存の後払い交通カードシステムでのブラックリスト使用のようなカードの真正性確認は、取引端末機ではない充電端末機で成される。つまり、本発明は、比較的数が少なくオンライン環境である充電端末機を使用してカード使用者の真正性を充電段階で確認するので、カードの紛失や使用者の信用不良などの情報更新が適時に正確に成される。また、カードの使用者は自分の必要に合わせて適当な仮想金額を充電させることによって、カード紛失時の危険を防止することができる（この時、ＰＩＮを入力するようにして危険を更に減らすことができる）。
【０１４７】
本発明は、添付の図面を参照に好ましい実施例を中心に記述されたが、当業者であるならば、このような記載から前記の特許請求の範囲により包括される本発明の範疇を脱することなく、多様な変形が可能であることは明白である。
【図面の簡単な説明】
【図１】本発明による後払い充電式電子貨幣システムのシステム概要図である。
【図２】本発明による後払い充電式電子貨幣システムの第１実施例によるブロック図である。
【図３】本発明による後払い充電式電子貨幣システムの第２実施例によるブロック図である。
【図４】本発明による後払い充電式電子貨幣システムの第３実施例によるブロック図である。
【図５】本発明による後だ来充電式電子貨幣システムの第４実施例によるブロック図である。
【図６】図２に図示した第１実施例による後払い充電式電子貨幣システムでの充電処理のフローチャートである。
【図７】図２に図示した第１実施例による後払い充電式電子貨幣システムでの取引処理のフローチャートである。
【図８】図３に図示した第２実施例による後払い充電式電子貨幣システムでの取引処理のフローチャートである。
【図９】図４に図示した第３実施例による後払い充電式電子貨幣システムでの充電処理のフローチャートである。
【符号の説明】
１００：管理サーバー　　　　　　　　　　１１１：充電承認要請情報受信部
１１２：充電承認処理部　　１１３：充電承認情報伝送部
１１４充電処理部　　　　　　　　１１５：振替要請情報伝送部
１１６：取引処理部　　　　　　　　　　　　１１７：ブラックリスト情報伝送部
１１８：取引承認要請情報受信部　　　　　　１１９：取引承認処理部
１２０：取引承認情報伝送部　　　　１２１：ホワイトリスト情報伝送部
２００：充電端末機　　　　　　　　　　　　２１１：充電要請情報入力部
２１２：識別情報読取部　　２１３：充電承認要請部
２１３ａ：充電承認処理部　２１４：充電処理部
３００：取引端末機　　　　　　　　　　　　３１１：取引要請情報入力部
３１２：識別情報読取部　　３１３：取引承認処理部
３１３ａ：取引承認要請部　３１４：取引処理部
３１５：取引情報伝送部　　４００：カード社のサーバー
【図１】
2004005410.tif 000003
【図２】
2004005410.tif 000004
【図３】
2004005410.tif 000005
【図４】
2004005410.tif 000006
【図５】
2004005410.tif 000007
【図６】
2004005410.tif 000008
【図７】
2004005410.tif 000009
【図８】
2004005410.tif 000010
【図９】
2004005410.tif 000011